(57)【特許請求の範囲】
【請求項１】
少なくとも１つの家具ドア（３）と、前記少なくとも１つの家具ドア（３）に配置された少なくとも１つのキャリッジ（２）と、少なくとも１つの収容スロット（１７）と、前記家具ドア（３）の前記キャリッジ（２）をガイドするための少なくとも１つのレール（１）と、を備えた家具（１０）であって、
前記レール（１）は少なくとも１つの組付け部材（４）を有しており、前記少なくとも１つの組付け部材（４）は、前記家具（１０）の側壁（１８）によって形成されている家具部分（５）に取り付け可能であり、取付け手段（２２）によって前記側壁（１８）に取り付け可能でありかつガイド部材（６）に取り外し可能に接続可能であって、前記ガイド部材（６）は、前記キャリッジ（２）のための少なくとも１つのガイド（７）を有しており、
前記ガイド部材（６）は貫通孔（２０）を有しており、前記取付け手段（２２）は、前記貫通孔（２０）を通ってガイド可能であり、前記側壁（１８）に接続された状態で前記ガイド部材（６）に直接接触せず、
前記少なくとも１つの組付け部材（４）は、組付けレールとして形成されており、前記ガイド部材（６）は前記組付けレールに沿って摺動可能に支持されている、
ことを特徴とする、家具（１０）。
【請求項２】
前記少なくとも１つの組付け部材（４）は、成形された組付けレールとして形成されている、請求項１記載の家具（１０）。
【請求項３】
前記少なくとも１つの組付けレールは、実質的に鳩尾形または実質的にＴ字形の断面を有している、請求項２記載の家具（１０）。
【請求項４】
解除可能なロック（８）が設けられており、前記ロックにより、前記少なくとも１つの組付け部材（４）と前記ガイド部材（６）との相互の位置を規定することができる、請求項１から３までのいずれか１項記載の家具（１０）。
【請求項５】
前記解除可能なロック（８）は少なくとも１つの固定ねじ（９）を有している、請求項４記載の家具（１０）。
【請求項６】
前記家具ドア（３）は折り畳みスライドドアである請求項１から５までのいずれか１項記載の家具（１０）。
【請求項７】
前記家具（１０）が、互いに上下に配置された少なくとも２つのレール（１）と、少なくとも２つのキャリッジ（２）とを有している、請求項１から６までのいずれか１項記載の家具（１０）。
【請求項８】
前記少なくとも１つの家具ドア（３）を、前記家具（１０）の少なくとも１つの定置の部分（１２）に対して相対的に可動に支持するために少なくとも１つのヒンジ（１１）が設けられている、請求項１から７までのいずれか１項記載の家具（１０）。
【請求項９】
前記家具（１０）は、少なくとも１つの支持構造体（１３）を有していて、前記少なくとも１つのヒンジ（１１）は前記少なくとも１つの支持構造体（１３）に配置されている、請求項８記載の家具（１０）。
【請求項１０】
前記家具（１０）は、少なくとも１つの鉛直の支持構造体（１３）を有している、請求項９記載の家具（１０）。
【請求項１１】
キッチンの構成部分（１５）、衣類保管具（１６）、または類似のものを収容するための収容領域（１４）を有している、請求項１から１０までのいずれか１項記載の家具（１０）。
【請求項１２】
前記収容スロット（１７）は、側方で前記家具（１０）内にまたは前記家具（１０）側面に配置されており、前記収容スロット内には前記少なくとも１つの家具ドア（３）を挿入することができる、請求項１から１１までのいずれか１項記載の家具（１０）。
【請求項１３】
前記少なくとも１つの収容スロット（１７）は、１０〜３０ｃｍの内法幅および／または１００〜２５０ｃｍの高さおよび／または６０〜１００ｃｍの奥行きを有している、請求項１から１２までのいずれか１項記載の家具（１０）。
【請求項１４】
請求項１から１３までのいずれか１項記載の家具（１０）を製造する方法であって、以下のステップ、すなわち、
−少なくとも１つの側壁（１８）を有した家具（１０）を準備するステップ、
−少なくとも１つのレール（１）を、前記家具（１０）の前記少なくとも１つの側壁（１８）に、少なくとも１つの組付け部材（４）を介して組み付けるステップ、
−少なくとも１つの家具ドア（３）を準備するステップ、
−少なくとも１つのキャリッジ（２）を準備するステップ、
−前記少なくとも１つのキャリッジ（２）を前記少なくとも１つの家具ドア（３）に配設し、前記少なくとも１つのキャリッジ（２）を前記レール（１）の前記ガイド部材（６）の前記少なくとも１つのガイド（７）に連結するステップ、
を含む方法。
【請求項１５】
保守整備作業を実施するために、以下のステップ、すなわち、
−前記少なくとも１つの組付け部材（４）と前記ガイド部材（６）との相互の位置を規定する解除可能なロック（８）を解除するステップ、
−前記少なくとも１つの組付け部材（４）に対して相対的に、保守整備作業を実施する作業員の方向に前記ガイド部材（６）を摺動させるステップ、
−保守整備作業を実施するステップ、
を実施する、請求項１４記載の方法。
【請求項１６】
保守整備作業の実施後に、以下のステップ、すなわち、
−前記少なくとも１つの組付け部材（４）に対して相対的に、前記ガイド部材（６）の初期位置へと前記ガイド部材（６）を摺動させるステップ、
−前記少なくとも１つの組付け部材（４）と前記ガイド部材（６）との相互の位置を、解除可能なロック（８）によりロックするステップ、
を実施する、請求項１５記載の方法。
【発明の詳細な説明】
【技術分野】
【０００１】
本発明は、家具ドアのキャリッジをガイドするためのレール、および少なくとも１つのこのようなレールを備えた家具に関する。
【０００２】
さらに本発明は、このような家具を製造するための方法に関する。
【０００３】
全体的なパッケージとして家具の側壁に配置される、家具ドアのキャリッジをガイドするためのレールが既に公知である。このことは、レールが例えばねじによって、側壁に取付けられることを意味する。このことは、保守整備作業の際にまたはその他の修理の際に、レール全体を再びねじ固定から解除しなければならないという欠点を含む。さらに、保守整備作業もしくは修理の実施後は、ねじを再び側壁に取り付けなければならず、レール、ひいては家具ドアの確実な保持を保証するために、場合によっては新たな取付け穴が必要である。
【０００４】
本発明の課題は、上記欠点を回避し、従来技術に対して改善されたレール、および改善された家具を提供し、これにより保守整備作業またはその他の修理作業の実施を容易にすることである。
【０００５】
本発明のさらなる課題は、保守整備作業の実施をさらに容易にするために、このような家具を製造するための改善された方法を提供することである。
【０００６】
この課題は、独立請求項１、６および１２に記載の特徴により解決される。
【０００７】
本発明の好適な実施形態は、従属請求項に規定されている。
【０００８】
すなわち本発明のレールに関する本質的な発想は、レールが少なくとも１つの組付け部材を有しており、少なくとも１つの組付け部材は、家具の側壁によって形成されている家具部分に取り付け可能であり、かつガイド部材に取り外し可能に接続可能であって、ガイド部材は、キャリッジのための少なくとも１つのガイドを有しているというものである。すなわち換言すると、組付け部材のみを家具に堅固に接続することができ、この場合、この組付け部材にガイド部材を配置可能である。したがって、主要な利点は、本発明によるレールは、細いスロット内にも配置可能であることにある。組付け部材を一度だけ家具部分に取り付ければよく、この場合、保守整備作業またはその他の修理作業の実施のためには、組付け部材とガイド部材との間の接続のみを解除すればよく、これにより組付け部材を家具部分にとどめることができる。
【０００９】
前述した作業をさらに容易にするために、さらに、少なくとも１つの組付け部材は、好適には成形された、組付けレールとして形成されており、ガイド部材は組付けレールに沿って摺動可能に支持されている。したがって、ガイド部材を組付けレールに沿って摺動させることができ、これによりガイド部材と組付け部材との間の接続は、これら両部材を互いに相対的に摺動させることにより解除され得る。
【００１０】
少なくとも１つの家具ドア、特に折り畳みスライドドアと、少なくとも１つのレールと、少なくとも１つの家具ドアに配置された少なくとも１つのキャリッジと、を備えた家具では、この家具が、互いに上下に配置された少なくとも２つのレールと、少なくとも２つのキャリッジとを有していてよい。これにより、比較的大きな家具ドアをレールによってガイドすることができる。
【００１１】
本発明のさらなる利点と詳細は、図面および図面に関連する説明により明らかであり、この際に、本発明による方法も図面につき詳しく説明する。
【図面の簡単な説明】
【００１２】
【図１ａ】２つの折り畳みスライドドアを有した家具を示す斜視図である。
【図１ｂ】図１ａの家具を示す斜視図であり、２つの折り畳みスライドドアは異なる位置で示されている。
【図１ｃ】図１ａの家具を示す斜視図であり、２つの折り畳みスライドドアはさらに異なる位置で示されている。
【図２】側壁と２つのレールとを示す斜視図である。
【図３】側壁と、この側壁上に配置された２つのレールとを示す斜視図である。
【図４ａ】側壁とレールとを示す斜視図である。
【図４ｂ】図４ａの領域Ａの詳細図である。
【図４ｃ】図４ｂの領域Ｂの詳細図である。
【図４ｄ】図４ｂの領域Ｂの詳細図である。
【図５ａ】側壁とレールとを示す斜視図である。
【図５ｂ】図５ａの領域Ａの詳細図である。
【図５ｃ】側壁とレールとを示す平面図である
【図５ｄ】図５ｃのＣ−Ｃ線に沿った断面図である。
【図６】組み付けられた組付け部材を有した側壁と、この組付け部材に沿って摺動させられたガイド部材とを示す斜視図である。
【図７】組み付けられた組付け部材を有した側壁を示す斜視図であり、この場合、組付け部材とガイド部材との間の接続は完全に解除されている。
【００１３】
図１ａ、図１ｂ、および図１ｃには、定置の部分１２、側壁１８によって形成された２つの家具部分５、および２つの家具ドア３を有した家具１０が示されている。これら両家具ドア３は、この場合、第１の扉３ａと第２の扉３ｂとを有した折り畳みスライドドアとして形成されており、両扉３ａ，３ｂは折り畳みドアヒンジ１９を介して折り畳み可能である。家具１０は、さらに１つの収容領域１４と、側方に配置された２つの収容スロット１７もしくは「ポケット」を有している。すなわち、家具１０は、キッチンの構成部分１５（例えばコンロ、オーブン等のような電気機器）、衣類保管具１６（例えば引き出し、ハンガー、ボックス等）、または類似のものを収容するための収容領域１４を有している。
【００１４】
さらに、家具１０は、好適には側方で家具１０内にまたは家具１０側面に配置されている少なくとも１つの収容スロット１７を有していて、この収容スロット内には少なくとも１つの家具ドア３を挿入することができる。収容スロット１７は、すなわち、家具１０の外側に配置されてよいが、または収容スロット１７は家具１０内に、例えば付加的な壁を配置することにより形成される。収容スロット１７内に、もしくはより詳しく言うならば側壁１８に、家具ドア３のキャリッジ２をガイドするためのレール１（見えてない）が配置されるので、家具ドア３をこの収容スロット１７内に挿入することができる。両収容スロット１７はこの場合、１０〜３０ｃｍの内法幅および／または１００〜２５０ｃｍの高さおよび／または６０〜１００ｃｍの奥行きを有している。
【００１５】
図１ａに示した図は、家具ドア３の収納位置に相当し、図１ｃに示した図は、家具ドア３の閉鎖位置に相当する。第２の扉３ｂはそれぞれ走行キャリッジ２５に連結されていて、走行キャリッジ２５は走行キャリッジレール２４に沿って摺動可能である。この走行キャリッジレール２４は、レール１に対してほぼ横方向に家具１０に配置されている。さらに、走行キャリッジレール２４の一部として形成されている、または走行キャリッジレール２４とは別個の構成部分として形成されているウェブ２７が設けられている。すなわち、レール１および走行キャリッジレール２４により、家具ドア３は、収納位置と閉鎖位置との間で移動することができる。すなわち、家具ドア３は、扉３ａ，３ｂが実質的に互いに平行に向けられている家具ドア３の収納位置から、左側に示した家具ドア３により明らかである図１ｂの位置へと移動することができる。この場合、家具ドア３は、レール１に沿って摺動させられる。続いて家具ドア３は、図１ｃのような実質的に同一平面を成す位置にもたらされる。このために扉３ｂはそれぞれ、走行キャリッジ２５によって、家具ドア３の閉鎖位置に達するまで走行キャリッジレール２４に沿って摺動させられ、閉鎖位置では、両扉３ａ，３ｂは実質的に同一平面を成すように向けられている。閉鎖位置から収納位置へと家具ドア３を動かすためには、同じ工程が逆の順序で行われる。
【００１６】
図２には、側壁１８によって形成されている家具部分５が示されている。さらに、両レール１が示されており、これらのレールはそれぞれガイド部材６を含む。さらに、多数の貫通孔のうちの２つに符号２０が付与されている。両レール１にはそれぞれ１つのキャリッジ２が連結されており、これら両キャリッジ２には、鉛直の支持構造体１３と、走行キャリッジレール２４に対する接続部材２６とが配置されている。この場合、接続部材２６は支持体として形成されている。レール１に沿った家具ドア３の摺動を可能にするために、走行キャリッジ２５はこの接続部材２６上に送り込まれ、これにより扉３ａ，３ｂが実質的に互いに平行に向けられることになる。支持構造体１３にはヒンジ１１が配置されていて、このヒンジは家具ドア３もしくは家具ドア３の第１の扉３ａに接続可能である。すなわち家具１０では、少なくとも１つのヒンジ１１が、少なくとも１つの家具ドア３を、家具１０の少なくとも１つの定置の部分１２に対して相対的に可動に支持するために設けられていてよく、好適にはこの場合、家具１０は少なくとも１つの、好適には鉛直の支持構造体１３を有していて、少なくとも１つのヒンジ１１は少なくとも１つの支持構造体１３に配置されている。
【００１７】
図３には、側壁１８に組み付けられたレール１が示されている。
【００１８】
図４ａには、側壁１８の一部が、その上に組み付けられたレール１と共に示されており、キャリッジ２は、ガイド部材６のガイド７に沿って、側壁１８の端面２３から離れる方向で摺動されている。図４ｂには、図４ａの領域Ａの詳細図が示されている。この場合、ガイド部材６と両組付け部材４とを有するレール１が明らかである。この場合、両組付け部材４は、成形された組付けレールとして形成されている。さらに、ガイド部材６は、キャリッジ２のローラ２１のためのガイド７を有している。これによりキャリッジ２は、支持ビーム１３と、この支持ビームに配置された家具ドア３（図示せず）と共にガイド７に沿って移動可能である。さらに、ガイド部材６の２つの貫通孔２０がより明瞭に示されている。
【００１９】
図４ｃおよび図４ｄには、図４ｂの領域Ｂの詳細図が示されている。図４ｃとは異なり、図４ｄには、レール１を側壁１８に配置するために用いられる取付け手段２２が示されている。取付け手段２２としては例えばねじが適している。この場合、組付けレールとして形成された少なくとも１つの組付け部材４は実質的にＴ字形の断面を有している。選択的に、組付けレールとして形成された少なくとも１つの組付け部材４は実質的に鳩尾形の断面を有していてもよい。さらに貫通孔２０は、ガイド部材６が組付け部材４に沿って摺動可能であることを保証する。すなわち取付け手段２２はこれらの貫通孔２０を貫通してねじ込まれ、これにより取付け手段２２は、組付け部材４に沿ったガイド部材６の摺動を妨げない。
【００２０】
図５ａには、側壁１８の一部が示されており、この場合、上側のレール１の領域では、支持ビーム１３および支持ビーム１３に接続されたキャリッジ２の図示が省略されている。これにより、解除可能なロック８を見ることができる。図５ｂには、図５ａの領域Ａの詳細図が示されている。この場合、解除可能なロック８の構成部分である固定ねじ９が示されている。固定ねじ９としては例えばローレットねじまたはグラブねじが適している。すなわちレール１は、解除可能なロック８を有していて、このロックにより、少なくとも１つの組付け部材４とガイド部材６との相互の位置を規定することができる。この場合、解除可能なロック８は少なくとも１つの固定ねじ９を有していてよい。
【００２１】
図５ｃには、側壁１８と、この側壁上に配置されたレール１とが平面図で示されている。図５ｄは図５ｃのＣ−Ｃ線に沿った断面図である。この場合、レール１の組付け部材４は、取付け手段２２によって側壁１８に接続されていることがわかる。すなわち取付け手段２２は、貫通孔２０を貫通して挿入されていて、ガイド部材６には直接に接触していないので、ガイド部材６は組付け部材４に沿って摺動可能である。図面の下側の領域には、解除可能なロック８が示されており、このロックは、組付け部材４およびガイド部材６にのみ接続されている。この解除可能なロック８は、この場合、固定ねじ９を含み、この固定ねじの雄ねじ山は、ガイド部材６の対応する雌ねじ山と協働する。
【００２２】
図６には、側壁１８と、この側壁上に配置された、成形された組付けレールとして形成されている組付け部材４とが示されている。すなわちこの場合、上下に配置された３つの組付け部材４が設けられている。上側の２つの組付け部材４は上側のレール１のガイド部材６に取り外し可能に接続可能であり、下側の１つの組付け部材４は下側のレール１のガイド部材６に取り外し可能に接続可能である。レール１のガイド部材６は、図面において、組付けレールに沿って摺動されている。
【００２３】
図７には、図６の別の構成が示されている。この場合、レール１のガイド部材６は、成形された組付けレールとして形成された組付け部材４から完全に取り外されている。
【００２４】
本発明による方法を、図４ａ〜図４ｄ、図５ａ〜図５ｄ、および図６につき説明する。
【００２５】
−少なくとも１つの側壁１８を有した家具１０を準備し、
−少なくとも１つのレール１を、家具１０の少なくとも１つの側壁１８に、少なくとも１つの組付け部材４を介して組み付け、
−少なくとも１つの家具ドア３を準備し、
−少なくとも１つのキャリッジ２を準備し、
−少なくとも１つのキャリッジ２を少なくとも１つの家具ドア３に配設し、少なくとも１つのキャリッジ２をレール１のガイド部材６の少なくとも１つのガイド７に連結する。
【００２６】
この場合、保守整備作業を実施するためには、以下のステップを実施する：
−少なくとも１つの組付け部材４とガイド部材６との相互の位置を規定する解除可能なロック８を解除し、
−少なくとも１つの組付け部材４に対して相対的に、保守整備作業を実施する作業員の方向にガイド部材６を摺動させ、
−保守整備作業を実施する。
【００２７】
実施例に関して、解除可能なロック８を解除するために固定ねじ９を緩め、これにより固定ねじ９はもはやレール１の組付け部材４には干渉しないことを補足しておく。
【００２８】
保守整備作業の実施後に、以下のステップを実施する：
−少なくとも１つの組付け部材４に対して相対的に、ガイド部材６の初期位置へとガイド部材６を摺動させ、
−少なくとも１つの組付け部材４とガイド部材６との相互の位置を、解除可能なロック８によりロックする。
【００２９】
ロックするためには、図示した実施例において、固定ねじ９が再び組付け部材４に係合し、ガイド部材６に対して相対的な組付け部材４の摺動が阻止されるようになるまで、固定ねじ９を再び組付け部材４の方向に回す。
【符号の説明】
【００３０】
１  レール
２  キャリッジ
３  家具ドア
３ａ  第１の扉
３ｂ  第２の扉
４  組付け部材
５  家具部分
６  ガイド部材
７  ガイド
８  解除可能なロック
９  固定ねじ
１０  家具
１１  ヒンジ
１２  家具の定置の部分
１３  支持構造体
１４  収容領域
１５  キッチンの構成部分
１６  衣類保管具
１７  収容スロット
１８  側壁
１９  折り畳みドアヒンジ
２０  貫通孔
２１  ローラ
２２  取付け手段
２３  端面
２４  走行キャリッジレール
２５  走行キャリッジ
２６  接続部材
２７  ウェブ
【図１ａ】
0006926236.tif 000002
【図１ｂ】
0006926236.tif 000003
【図１ｃ】
0006926236.tif 000004
【図２】
0006926236.tif 000005
【図３】
0006926236.tif 000006
【図４ａ】
0006926236.tif 000007
【図４ｂ】
0006926236.tif 000008
【図４ｃ】
0006926236.tif 000009
【図４ｄ】
0006926236.tif 000010
【図５ａ】
0006926236.tif 000011
【図５ｂ】
0006926236.tif 000012
【図５ｃ】
0006926236.tif 000013
【図５ｄ】
0006926236.tif 000014
【図６】
0006926236.tif 000015
【図７】
0006926236.tif 000016